(57)【特許請求の範囲】
【請求項１】
軌道に沿って延びる動作配管またはインフラストラクチャー配管を備え、該動作配管またはインフラストラクチャー配管（３）が前記軌道の少なくとも一方のレール（２）で案内され、かつ該レール（２）に設けられた保持形材（４）によって該レールの側方の切欠き（６）の1つに取り付けられている軌道において、
前記軌道の少なくとも一方のレール（２）にエラストマー保持形材（４）が対をなして配置されており、これら各対の両方の前記エラストマー保持形材（４）は当該レール（２）の両方の側のそれぞれに配置され、かつレール脚部（３３）の下を通るクランプ脚部（３２）によって相互に結合されており、前記軌道（１）の少なくとも一方のレール（２）に取り付けられた前記エラストマー保持形材（４）が、該レールと反対を向いているほうの側に、前記動作配管または前記インフラストラクチャー配管（３）が挿入される、側方に開いた切欠き（５）を有することを特徴とする軌道。
【請求項２】
前記軌道（１）の前記レール（２）に複数列の前記エラストマー保持形材（４）が設けられており、これらの列の一部でのみ前記エラストマー保持形材（４）の前記切欠き（５）内に前記動作配管または前記インフラストラクチャー配管（３）が案内されており、他の前記エラストマー保持形材（４）の前記切欠き（５）には充填材（７）が配置されている、請求項１に記載の軌道。
【請求項３】
前記充填材（７）はストリップの形態で構成されている、請求項２に記載の軌道。
【請求項４】
前記軌道（１）のレール（２）の軌道中央部（８）のほうを向いている側（９）に配置された前記エラストマー保持形材（４）に１本または複数本の前記動作配管または前記インフラストラクチャー配管（３）が案内されており、前記軌道（１）のレール（２）の外方を向いている側(１０)に配置された前記エラストマー保持形材（４）の前記切欠き（５）には充填材（７）が挿入されている、請求項２または３に記載の軌道。
【発明の詳細な説明】
【技術分野】
【０００１】
本発明は、軌道に沿って延びる動作配管またはインフラストラクチャー配管を備え、動作配管またはインフラストラクチャー配管が軌道の少なくとも一方のレールで案内され、かつ該レールに設けられた保持形材によって該レールの側方の切欠きの１つに取り付けられている軌道に関する。
【背景技術】
【０００２】
電気エネルギー、工業用水や排水のような流動性のある媒体、液体状または気体状のエネルギー媒体、その他の流動性のある動作手段、あるいは情報信号または制御信号などを運び、もしくは機械的な遠隔駆動装置を形成し、軌道設備の稼動のために設けられるか、または一般的なインフラストラクチャー供給部として分類される配管が、しばしば軌道設備に沿って案内されている。
【０００３】
特許文献１によって、このような種類の配管を軌道のレールに沿って延びるように配置し、その際に、弾性作用のある平坦な材料を曲げてつくられたクランプ部材によって、それぞれ該当するレールに当接するように保持することが公知である。クランプ部材は、このクランプ部材を該当するレールに保持する、レール脚部の下面を包囲するクリップ区域と、これに続く、該当する配管に押し当てられるばねアームとを有している。配管はクランプ部材によって実質的に点状に保持され、それぞれのクランプ部材の間では露出している。配管の作業を行うためにはクランプ部材を開くか、または取り外さなければならない。
【０００４】
特許文献２によって、軌道のレールが、軌道脚部を取り囲む、レールウェブの両側にある外装部を備えており、この外装部とともに基礎プレートと結合されている軌道構造が公知である。この文献には、外装部に設けられた長手方向に延びるパイプに配管を格納することができることも言及されている。その場合、このような配管は長手方向に押し込みながらパイプに挿入しなければならず、保守作業のためにアクセスすることがほとんどできない。
【特許文献１】ドイツ実用新案出願明細書２９９００５２１Ｕ１
【特許文献２】ドイツ特許出願公開明細書１９９１１４６７Ａ１
【発明の開示】
【発明が解決しようとする課題】
【０００５】
本発明の目的は、冒頭に述べた種類の軌道において、公知の構造にみられるような欠点がほぼ回避され、配管のいっそう優れた保持とアクセス性を実現することができる構成を提供することにある。
【課題を解決するための手段】
【０００６】
本発明に基づいて構成される冒頭に述べた種類の軌道は、軌道の少なくとも一方のレールにエラストマー保持形材が対をなして配置されており、これら各対の両方のエラストマー保持形材は当該レールの両方の側のそれぞれに配置され、かつレール脚部の下を通るクランプ脚部によって相互に結合されており、軌道の少なくとも一方のレールに取り付けられエラストマー保持形材が、当該レールと反対を向いているほうの側に配管が挿入される、側方に開いた切欠きを有することを特徴としている。この構成によって、上に述べた目的をうまく達成することができる。
【０００７】
配管を収容するために設けられた切欠きが側方に開いていることによって、配管をきわめて容易に組付け可能であり、場合によって、たとえば保守や交換のために容易に取外し可能であり、希望する場合には容易に取出し可能である。エラストマー保持形材は、たとえばクランプによって非常に簡単にレールに固定することができ、レール脚部への固定部を構造的に簡素に製作することができる。エラストマー保持形材は、配管が軌道被覆部の領域に設けられている場合に、支持の役目も果たすことができるので有利である。
【００１１】
本発明の対象物で意図される配管案内についての、必要な場合に拡張可能な簡単な思想という観点からは、軌道のレールに複数列のエラストマー保持形材が設けられており、これらの列の一部でのみエラストマー保持形材の切欠き内に配管が案内されており、他のエラストマー保持形材の切欠きには充填材が配置されていることを特徴とする実施態様が好ましい。この実施態様で設けられる充填材は、エラストマー保持形材の内部にまだ配管が配置されていないときに、エラストマー保持形材の良好な着座に貢献する。この場合、充填材がストリップ（Ｌｅｉｓｔｅｎ）の形態で構成されていることを意図すると好都合である。このようなストリップの形態で構成された充填材は容易に取り扱うことができ、このような充填材によって、まだ配管を備えていないエラストマー保持形材の着座を向上させる追加の案内が実現される。さらにこの場合、軌道のレールの軌道中央部のほうを向いている側に配置されたエラストマー保持形材に１本または複数本の配管が案内されており、軌道のレールの外方を向いている側に配置されたエラストマー保持形材の切欠きには充填材が配置されていることを意図すると好都合である。この実施態様では、軌道に設けられるべき軌道溝を通して、配管への良好なアクセス性が与えられる。
【発明を実施するための最良の形態】
【００１２】
次に、本発明の実施の形態について図面を参照して説明する。
【００１３】
図１には、軌道の両方のレール２の少なくとも一方で配管３が案内され、当該レール２に設けられた保持部によって当該レール２に取り付けられている、本発明に基づいて構成された軌道１の実施形態が示されている。この保持部は、それぞれ該当するレール２と反対を向いている側に、配管３が挿入された、側方が開いた切欠き５を有するエラストマー保持形材４の形態で構成されている。配管３を収容するために、複数のエラストマー保持形材４がレール２の長手方向に連続して配置されている。エラストマー保持形材４は、それぞれ該当するレール２の少なくとも１つの側方の切欠き６に、それぞれ該当する切欠き６へ係合するように配置されている。図１に示す例では、エラストマー保持形材４はレール２の両方の側方の切欠き６に、これらの切欠き６へ係合するように配置されているが、図１の右側に示すエラストマー保持形材４だけが、その切欠き５のなかで配管３を案内しており、図１の左側に示すエラストマー保持形材４の切欠き５には充填材７が挿入されている。このような充填材７は、エラストマー保持形材４の切欠き５へ簡単なやり方で挿入でき、必要な場合には再びこの切欠きから取り出すことができ、使用されていない切欠き５に異物が溜まるのを防ぐという観点からも、また、エラストマー保持形材４の形状を長期間にわたって保つ切欠き５の充填という意味からも有利である。このようにして、充填材７を取り出すことによって新しい配管を格納するためのスペースをつくることによって、後の時点で新たな配管をレールに取り付けるという可能性を開くことができる。この場合、通常は、図１に示すように、図１の右側にある、軌道のレールの軌道中央部８のほうを向いている側９に配置されたエラストマー保持形材４に１本または複数本の配管３を通し、軌道のレール２の外方を向いている側１０に配置されたエラストマー保持形材４の切欠き５に充填材７を挿入するのが好都合である。しかしながらこの逆の配置、すなわち、配管３を外側に配置して、充填材７を内側に配置することも可能である。充填材７は、図示しているように中空形材の形態で構成されているのが有利であり、それによって、このような充填材をわずかな材料費で製作することができるという利点が生じ、また、このように構成された充填材はわずかな程度だけ容易に変形することができるので、エラストマー保持形材の切欠きへのこのような充填材の挿入が容易になるとともに、エラストマー保持形材の切欠きからこの充填材を取り出すときの操作も容易になるという別の利点も得られる。
【００１４】
図１には、できるだけ見やすく、そのために十分に大きい図面にするという観点から、本発明に基づいて構成された軌道の一方のレールの領域だけが示されている。軌道の他方のレールにも、図示しているレールの場合と同様に、希望する場合には動作配管またはインフラストラクチャー配管を同じく設けることができ、あるいは、この他方のレールにはこのような配管を取り付けないでおくこともできる。
【００１５】
図１に示す構成では、軌道１のレール２は固定部材１１によって枕木１２の上に固定されており、枕木それ自体は砕石道床１３に支えられている。軌道のこれ以外の構造が意図されていてもよく、たとえば、しばしば「スラブ軌道」と呼ばれているように、ベースプレートの上にレールを固定することもできる。
【００１６】
図１に示す断面の切断線は、レールの高さに位置する歩行可能または走行可能な通行面１４を形成するか、または軌道の走行時に発生する騒音を弱める役目を果たすことができる軌道被覆部が設けられた、軌道１の領域に位置している。図１に示す例では、軌道被覆部は、エラストマー保持形材４を間に介在させながら、軌道のそれぞれ該当するレール２の側方の切欠き６へ係合し、エラストマー保持形材４によって支持される支持体１５の形態の構造部材を有している。図１に示す支持体１５は、軌道の横方向にそれぞれのレールの間を延びる連結部材１６を介して、図１には図示しない軌道１のもう一方のレールの側方の切欠きに係合する、支持体１５と対応する同じ種類の支持体と連結されており、この他方の支持体と他方のレールの間に、そこに配管が格納されるべき場合には、支持体１５の場合と同じくエラストマー保持形材４に準ずるエラストマー保持形材が挿入されており、もしくは単純な支持形材が挿入されている。支持体１５は、軌道の他方のレールに配置された前述の支持体とともに、軌道の両方のレールの間にレールの高さ上を延びる通行面１４を形成するプレート状の被覆部材１７を支持している。軌道の各レールの外側に続いて、プレート状の被覆部材１８によって通行面１４が形成されており、この被覆部材１８は、エラストマー保持形材４を介してレール２の側方の切欠き６へ係合する支持体１９で支持されるとともに、図示しない別の支持体で支持されており、この別の支持体はそれ自体、軌道と並んで配置された基礎の上に載置されており、軌道の横方向に軌道から外方へ離れるように延びる連結部材２０を介して、支持体１９と連結されている。連結部材１６，２０は棒状または板状に構成されるが、棒形状のほうが好ましい。レールの側方の切欠きへの支持体１５，１９の挿入を容易にするために、好ましくは、このような連結部材と連結される両方の支持体の相互間隔を少なくともわずか小さくするのを可能にする連結部材１６，２０の構成を意図することができる。構造的に簡素で機能的に好都合なその解決策は、たとえば、連結部材の撓曲性のある構成、連結部材の入れ子式の構成、または、それぞれ互いにピボット結合された２つの部分からなる連結部材の構成などである。
【００１７】
エラストマー保持形材４は、軌道被覆部の被覆部材１７，１８を支える支持体１５，１９を弾性的に支持しており、それ自体では、それぞれが中に入っている側方の切欠き６のなかで、これらの支持体１５，１９によって保持されている。動作配管またはインフラストラクチャー配管３が中に挿入された、エラストマー保持形材４に設けられている切欠き５は、軌道被覆部の支持体１５，１９が各レールの側方の切欠き６へ係合する領域よりも上に位置している。エラストマー保持形材４の側方に開いた切欠き５は、この切欠きの開口部の後に続いて、レール頭部２３の下面２２に当接する上壁２１を有するともに、さらに、それぞれそこにある支持体１５，１９のレール２のほうを向いている縁部領域２５の上に載る下壁２４を有している。
【００１８】
エラストマー保持形材４は、配管３を取り付けるために、軌道のレール２の長手方向に見て１列に連続して設けられた複数の部品の形態で構成されていてよい。
【００１９】
図２は、図１に示す実施形態の変形例を示しており、この変形例では、レール２の両側に配管３が取り付けられている。この変形例は、充填材７を取り外した後、それによって空いた図１の左側に示すエラストマー保持形材４の切欠きへも配管３を挿入することによって、図１の実施形態の後から生じた構造であるとみなすことができ、あるいは、この変形例はすでにその製造時に、レール２の両側にある２本の配管３を備えるように製作されていてもよい。図２の記載では、図１と同じ構成部品には同じ符号が付されている。
【００２０】
図３に示す軌道の実施形態では、図１および図２に示す実施形態の場合と同じく、通行面１４を構成する、軌道のレールの高さに配置された軌道被覆部が設けられている。図３に示す実施形態でも、図１および図２の実施形態で設けられている構成部品に対応する構成部品には、図１および図２で使ったのと同じ符号が付されている。通行面１４は、軌道１のそれぞれのレール２の間に位置する領域では、プレート状の被覆部材２６の形態を有し、レールからレールまで達し、レール側の縁部２７に支持突起２８を備える構成部品によって構成されており、この支持突起は、エラストマー保持形材４を間に介在させながら、図３の右側に示す、レールの側方の切欠き６へ間接的に係合している。軌道の両方のレールにおいて、エラストマー保持形材４は、軌道の両方のレールの軌道中央部８のほうを向いている側９で、そこにあるこれらのレールの側方の切欠き６へ係合するように配置されている。エラストマー保持形材４は、レールの長手方向に連続して配置された被覆部材２６を弾性的に支持しており、エラストマー保持形材４は、それ自体では、レール２の側方の切欠き６の中に支持突起２８によって保持されている。エラストマー保持形材４は、配管３が中に挿入された切欠き５を備えている。レール２の外方を向いている側１０に続いて、被覆部材２６とともに通行面１４を構成するプレート状の被覆部材２９が配置されている。被覆部材２９も、レール２の外方を向いている側１０にあるエラストマー形材３１を介して、レール２の側方の切欠き６に係合する支持突起３０を有しており、そのようにして、被覆部材２９はレール２に支持されている。希望する場合、レール２の外方を向いている側にも配管を配置したいときは、エラストマー形材３１をエラストマー保持形材４で置き換えることができる。軌道１がただ１つの配管３しか備えていないとき、プレート状の被覆部材２６を、その、軌道の図示しないレールのほうを向いている側では、エラストマー保持形材によって支持するのではなく、それに代えて、支持のためだけに設計されたエラストマー形材によって支持することもできる。また、希望する場合には、図３に示す軌道の図示しないレールにおいても、そのレールの両側で、エラストマー保持形材によって配管を配置することができる。
【００２１】
図１から図３には、軌道被覆部が存在している軌道の区域が図示されている。このような軌道被覆部は、たとえば軌道を横切る踏切であってよく、または、道路車両が通行するべき工場設備もしくは倉庫設備の領域の被覆部であってよい。このような領域の範囲外では、該当する軌道は被覆部なしで設けられているが、動作配管またはインフラストラクチャー配管を軌道のレールに取り付ける必要性は依然として存在している場合がある。この点に関する実施形態が図４に示されている。図４に示す軌道のレール２には、配管３が内部で案内される切欠き５を備えたエラストマー保持形材４が取り付けられている。図示した例では、エラストマー保持形材４はレール脚部３３を取り囲み、それによってエラストマー保持形材４をレール２に固定する、弾性的に変形可能なクランプ脚部３２を備えている。あるいは、レール２の側方の切欠き６に係合するように配置されたエラストマー保持形材４は、これとは異なるやり方でレールに、たとえば、レールウェブ３５の破線で示す穴３４に通された適切なピンやネジによって固定されていてもよい。
【００２２】
図５は、軌道のレール２の両側にエラストマー保持形材４が対をなして設けられ、これらのエラストマー保持形材４が、レール脚部３３の下を通ってレール２のレール脚部３３を包囲する弾性的に変形可能なクランプ脚部３２によって相互に結合された実施形態を示している。それによって、エラストマー保持形材４はレール脚部３３に固定されている。エラストマー保持形材４は、クランプ脚部３２と一体的に統合されているのが有利であり、この場合、エラストマー保持形材の個々の長さは、製造の面からも、組付け状態のときの機能特性の面からも選択することができる。このようにエラストマーのクランプ脚部と一体的に統合されたエラストマー保持形材をレールに組み付けるには、この一体化された構造物を曲げて、両方の保持形材のうちの一方を、レールの枕木の間に位置する領域でレールの下に押し込み、次いで、両方の保持形材およびクランプ脚部をレールに当接するように位置決めすることができる。場合によっては、エラストマー保持形材をレールに圧着するように作用する補助的なばねを、クランプ脚部の表面または内部に設けることができる。これに代えて、たとえばネジやピンによる、レールへの保持体の補助的な固定部を設けることができる。
【００２３】
すでに上に説明した、図５に示す実施形態でも存在している、レール２の両側に配置されたエラストマー保持形材４の結合部は、図１から図３に示すように、エラストマー保持形材がレールと軌道被覆部の構成部材との間に挿入される本発明の軌道の構成の場合にも意図することができる。
【図面の簡単な説明】
【００２４】
【図１】本発明に基づいて構成された軌道の第１の実施形態の一方のレールの領域を示す、レールの長手方向に対して横向きに切断した断面図である。
【図２】図１の実施形態の変形例を示す、図１と同様に切断した断面図である。
【図３】本発明に基づいて構成された軌道の別の実施形態を示す、図１と同様に切断した断面図である。
【図４】本発明に基づいて構成された軌道のさらに別の実施形態を示す、図１と同様に切断した断面図である。
【図５】図４の構成の変形例を示す同様の断面図である。
【符号の説明】
【００２５】
１  軌道
２  レール
３  配管
４  エラストマー保持形材
５  切欠き
６  切欠き
７  充填材
８  軌道中央部
９  軌道中央部を向いている側
１０  外方を向いている側
１１  固定部材
１２  枕木
１３  砕石道床
１４  通行面
１５  支持体
１６  連結部材
１７  被覆部材
１８  被覆部材
１９  支持体
２０  連結部材
２１  上壁
２２  下面
２３  レール頭部
２４  下壁
２５  縁部領域
２６  被覆部材
２７  縁部
２８  支持突起
２９  被覆部材
３０  支持突起
３１  エラストマー形材
３２  クランプ脚部
３３  レール脚部
３４  穴
３５  レールウェブ
【図１】
0005112647.tif 000002
【図２】
0005112647.tif 000003
【図３】
0005112647.tif 000004
【図４】
0005112647.tif 000005
【図５】
0005112647.tif 000006